(57)【特許請求の範囲】
【請求項１】
入来する第１のビットストリームと入来するアナログ信号を圧縮符号化して得た第２のビットストリームとの何れか一方を選択的に記録媒体に記録することのできるディジタル信号記録装置において、
前記第１のビットストリームを出力する機器からの識別情報を基に前記第１のビットストリームの最大ビットレートが前記記録モードにおけるデータ記録レートを超える可能性があるか否かを判別し、前記第１のビットストリームの最大ビットレートが前記記録モードにおけるデータ記録レートを超える可能性がないと判別された場合には、前記第１のビットストリームを記録し、前記第１のビットストリームの最大ビットレートが前記記録モードにおけるデータ記録レートを超える可能性があると判別された場合、あるいは判別不能であった場合には、前記第１のビットストリームを成す映像情報と同一内容の映像情報を有する第２のビットストリームを記録することを特徴とするディジタル信号記録装置。
【請求項２】
入来する第１のビットストリームと入来するアナログ信号を圧縮符号化して得た第２のビットストリームとの何れか一方を選択的に記録媒体に記録することのできるディジタル信号記録装置において、
第１のビットストリームの最大ビットレートと記録モードにおけるデータ記録レートとを比較する手段を少なくとも備え、
前記第１のビットストリームの最大ビットレートが前記記録モードにおけるデータ記録レートを超える場合は、前記第１のビットストリームを成す映像情報と同一内容の映像情報を有する第２のビットストリームを記録することを特徴とするディジタル信号記録装置。
【請求項３】
外部機器から第１のビットストリームが入来する第１の接続端子と、
前記外部機器から前記第１のビットストリームを成す映像情報と同一内容の映像情報を有するアナログ映像信号が入来する第２の接続端子と、
前記第２の接続端子からのアナログ映像信号を圧縮符号化処理するエンコーダとを備え、
前記第１のビットストリームの最大ビットレートが前記記録モードにおけるデータ記録レートを超える場合は、前記第２の接続端子からのアナログ映像信号を前記エンコーダにて圧縮符号化して得た第２のビットストリームを記録することを特徴とする請求項２記載のディジタル信号記録装置。
【請求項４】
前記第２の接続端子は、アナログ映像信号が入来する複数のアナログ接続端子のうちの、予め設定された１の接続端子であることを特徴とする請求項３記載のディジタル信号記録装置。
【請求項５】
前記第１のビットストリームの最大ビットレートが前記記録モードにおけるデータ記録レートを超える場合は、前記第２の接続端子からのアナログ映像信号を前記エンコーダにて圧縮符号化した映像情報と前記第１のビットストリームから取り出した音声情報とにより第３のビットストリームを生成して、前記第３のビットストリームを記録することを特徴とする請求項３又は４記載のディジタル信号記録装置。
【請求項６】
入来する第１のビットストリームと入来するアナログ信号を圧縮符号化して得た第２のビットストリームとの何れか一方を選択的に記録媒体に記録するディジタル信号記録方法において、
前記第１のビットストリームを出力する機器からの識別情報を基に前記第１のビットストリームの最大ビットレートが前記記録モードにおけるデータ記録レートを超える可能性があるか否かを判別し、前記第１のビットストリームの最大ビットレートが前記記録モードにおけるデータ記録レートを超える可能性がないと判別された場合には、前記第１のビットストリームを記録し、前記第１のビットストリームの最大ビットレートが前記記録モードにおけるデータ記録レートを超える可能性があると判別された場合、あるいは判別不能であった場合には、前記第１のビットストリームを成す映像情報と同一内容の映像情報を有する第２のビットストリームを記録することを特徴とするディジタル信号記録方法。
【請求項７】
入来する第１のビットストリームと入来するアナログ信号を圧縮符号化して得た第２のビットストリームとの何れか一方を選択的に記録媒体に記録するディジタル信号記録方法において、
第１のビットストリームの最大ビットレートと記録モードにおけるデータ記録レートとを比較し、前記第１のビットストリームの最大ビットレートが前記記録モードにおけるデータ記録レートを超える場合は、前記第１のビットストリームを成す映像情報と同一内容の映像情報を有する第２のビットストリームを記録することを特徴とするディジタル信号記録方法。
【発明の詳細な説明】
【０００１】
【発明の属する技術分野】
本発明は、ディジタル信号記録装置に関し、特に入来するディジタル映像音声信号とアナログ映像音声信号とを切り換えて記録することのできるディジタル信号記録装置及びディジタル信号記録方法に関する。
【０００２】
【従来の技術】
近年、ディジタル衛星放送などによるテレビジョン放送のディジタル化に伴い、映像信号のディジタル化が急速に進展しつつある。このような状況の中、ディジタル映像音声信号を記録再生することのできるディジタル信号記録再生装置が開発され、製品化されつつある。
【０００３】
このようなディジタル信号記録再生装置の１つとしては、Ｄ−ＶＨＳ（登録商標）方式の記録再生装置がある。このＤ−ＶＨＳ方式の記録再生装置は、アナログ方式のビデオテープレコーダとして普及しているＶＨＳ（登録商標）方式の記録再生装置の機構系を用いて、ディジタル映像信号を記録再生できるようにしたものであり、ＭＰＥＧ（Ｍｏｖｉｎｇ  Ｐｉｃｔｕｒｅ  Ｅｘｐｅｒｔｓ  Ｇｒｏｕｐ）２方式でエンコードしたディジタル映像信号及びディジタル音声信号をＭＰＥＧトランスポートストリーム規格に基づくビットストリーム（以下、ＭＰＥＧビットストリームと記す）の形態で記録再生することができる。
【０００４】
また、Ｄ−ＶＨＳ方式の記録再生装置にはいくつかのタイプがあり、その１つとしては、入来するＭＰＥＧビットストリームを単に記録再生するだけでなく、アナログ入力によるアナログ映像信号及びアナログ音声信号をその内部でＭＰＥＧビットストリームに変換して記録したり、また、再生したＭＰＥＧビットストリームを変換してアナログ映像信号及びアナログ音声信号として出力したりできるものがある。
【０００５】
図１は、ディジタルインターフェイスとアナログ入出力端子とを備え、入来するＭＰＥＧビットストリームとアナログ映像音声信号とを切り換えて記録し、また、再生したＭＰＥＧビットストリームをディジタルインターフェイス及びアナログ入出力端子から出力することのできるＤ−ＶＨＳ方式の記録再生装置を示すものである。
【０００６】
同図に示す記録再生装置について、簡単に説明すると、Ｖｉｎ１及びＶｉｎ２は外部からアナログ映像信号が入来する第１及び第２の映像信号入力端子であり、切換器１０は第１の映像信号入力端子Ｖｉｎ１から入来するアナログ映像信号又は第２の映像信号入力端子Ｖｉｎ２から入来するアナログ映像信号の何れか一方を選択して出力する。
【０００７】
切換器１０からのアナログ映像信号は、Ａ／Ｄ変換器１１にてディジタル映像信号に変換され、その後ビデオ処理部１２にて色信号の復調等の処理が行われる。そして、輝度信号及び色差信号の形態となったディジタル映像信号は、ＭＰＥＧエンコーダ部１３でＭＰＥＧ２方式の圧縮符号化処理が施される。
【０００８】
一方、Ａｉｎ１及びＡｉｎ２は外部からアナログ音声信号が入来する第１及び第２の音声信号入力端子であり、切換器１４は、切換器１０が第１の映像信号入力端子Ｖｉｎ１からのアナログ映像信号を出力する際には第１の音声信号入力端子Ａｉｎ１からのアナログ音声信号を選択出力し、切換器１０が第２の映像信号入力端子Ｖｉｎ２からのアナログ映像信号を出力する際には第２の音声信号入力端子Ａｉｎ２からのアナログ音声信号を選択出力する。
【０００９】
そして、切換器１４からのアナログ音声信号は、Ａ／Ｄ変換器１５でディジタル音声信号に変換され、更にオーディオ処理部１６で、例えばＭＰＥＧ１オーディオレイヤー２方式の圧縮符号化処理が施される。
【００１０】
そして、ストリーム変換部１７は、ＭＰＥＧエンコーダ部１３からのＭＰＥＧ映像信号とオーディオ処理部１６からのＭＰＥＧ音声信号とによりＭＰＥＧビットストリームを生成する。ストリーム変換部１７からのＭＰＥＧビットストリームは、その後信号切換のためのインターフェイスＡＳＩＣ１８に出力される。
【００１１】
また、ＤｉｏはＩＥＥＥ１３９４規格に基づくディジタルインターフェイス端子、１９はＩＥＥＥ１３９４規格に基づくディジタルインターフェイスであり、外部から入来するＭＰＥＧビットストリームはディジタルインターフェイス端子Ｄｉｏ及びディジタルインターフェイス１９を介してインターフェイスＡＳＩＣ１８に出力される。
【００１２】
そして、インターフェイスＡＳＩＣ１８は、ストリーム変換部１７が出力するＭＰＥＧビットストリームをＤ−ＶＨＳ信号処理部２０及びディジタルインターフェイス１９に出力し、ディジタルインターフェイス１９が出力するＭＰＥＧビットストリームをＤ−ＶＨＳ信号処理部２０及びストリーム変換部１７に出力する。また、後述の如く、Ｄ−ＶＨＳ信号処理部２０がＭＰＥＧビットストリームを出力する際には、インターフェイスＡＳＩＣ１８は、これをディジタルインターフェイス１９及びストリーム変換部１７に出力する。
【００１３】
インターフェイスＡＳＩＣ１８がＤ−ＶＨＳ信号処理部２０にＭＰＥＧビットストリームを出力すると、Ｄ−ＶＨＳ信号処理部２０では、Ｄ−ＶＨＳの仕様に従ってヘッダや誤り訂正符号を付加し、このようにして得たディジタル記録信号は記録アンプ２１に出力される。そして、記録アンプ２１を介したディジタル記録信号は記録媒体２２に記録される。
【００１４】
以上の如く、同図に示す記録再生装置では、外部から入来するＭＰＥＧビットストリームもアナログ映像音声信号も記録媒体２２に記録できる。なお、外部から入来するＭＰＥＧビットストリームを記録する際には、後述するアナログ映像音声信号の出力経路によりこの映像音声信号を出力可能であり、外部から入来するアナログ映像音声信号を記録する際には、ディジタルインターフェイス端子Ｄｉｏを介してこれをＭＰＥＧビットストリームとして出力可能である。
【００１５】
また、記録媒体２２に記録されているディジタル信号を再生する際には、記録媒体２２からのディジタル再生信号が再生プリアンプ２３を介して再生処理部２４に出力され、再生処理部２４では波形等化やビタビ復号等の再生信号検出処理が行われる。
【００１６】
そして、再生処理部２４での処理を終えたディジタル再生信号は、Ｄ−ＶＨＳ信号処理部２０で誤り訂正処理が施され、ＭＰＥＧビットストリームが取り出される。このようにして得られたＭＰＥＧビットストリームは、インターフェイスＡＳＩＣ１８、ディジタルインターフェイス１９、ディジタルインターフェイス端子Ｄｉｏを介してＭＰＥＧビットストリームの形態で外部に出力されると共に、ストリーム変換部１７でＭＰＥＧ映像信号及びＭＰＥＧ音声信号が取り出される。
【００１７】
ここで、取り出されたＭＰＥＧ映像信号は、ＭＰＥＧデコーダ部２５で伸長処理が施されて、ディジタル映像信号が復元される。ＭＰＥＧデコーダ部２５からのディジタル映像信号は、更にビデオ処理部１２にて色信号の変調等の処理が行われ、ビデオ処理部１２の出力するディジタル映像信号をＤ／Ａ変換器２６でアナログ映像信号に変換したものが映像信号出力端子Ｖｏｕｔから出力される。
【００１８】
一方、ストリーム変換部１７にて取り出されたＭＰＥＧ音声信号は、オーディオ処理部１６で伸長処理が施された後に、Ｄ／Ａ変換器２７でアナログ音声信号に変換されて音声信号出力端子Ａｏｕｔから出力される。このようにして、記録媒体２２から再生されるディジタル再生信号をＭＰＥＧビットストリームの形態でもアナログ映像音声信号の形態でも出力することができる。
【００１９】
なお、以上に示した各構成は、図示せぬバスを介してマイコン２８に接続されており、マイコン２８が各構成を制御している。また、同図ではＭＰＥＧエンコーダ部１３とＭＰＥＧデコーダ部２５とを別個の構成として示したが、映像データを蓄積しておく内部メモリ、そしてＤＣＴ（離散コサイン変換）などの基本的なアルゴリズム等はこれらの構成で一部共用されており、回路構成の小規模化が図られている。
【００２０】
次に、同図に示すＤ−ＶＨＳ方式の記録再生装置における記録モードについて説明すると、同記録再生装置では、記録媒体２２の走行速度に応じた異なる複数のデータ記録レートが設定可能であり、スタンダードモード（以下、ＳＴＤモードと記す）で記録する際には、メインデータとして１４．１Ｍｂｐｓまでのビットストリームが記録可能であり、ロースピードモード（以下、ＬＳモードと記す）で記録する際には、メインデータとして４．７Ｍｂｐｓまでのビットストリームが記録可能である。
【００２１】
ここで、ＣＳディジタル放送による番組を同記録再生装置で記録する場合、番組の内容によっても異なるが、殆どの番組では入来するＭＰＥＧビットストリームのビットレートがＳＴＤモードのデータ記録レートを大きく下回り、このＳＴＤモードで記録することは可能であるが、ＬＳモードに比べてテープ１巻あたりの記録時間が短い。従って、多少画質が劣化することはあっても長時間の記録を行いたい場合においては、ＬＳモードでの記録が適している。
【００２２】
また、番組のビットレートがＬＳモードのデータ記録レートを常に下回っていれば、この番組をＬＳモードで記録することが可能となるが、ＬＳモードのデータ記録レートを超える場合には、入来するＭＰＥＧビットストリームをそのままＬＳモードで記録することができない。
【００２３】
【発明が解決しようとする課題】
ここで、ＭＰＥＧエンコーダ部１３は、記録モードに応じたレートの圧縮符号化処理が行えるよう構成されるため、ディジタルインターフェイス端子Ｄｉｏから入来するＭＰＥＧビットストリームをＭＰＥＧデコーダ部２５で一旦伸長処理し、記録モードに応じてＭＰＥＧエンコーダ部１３で再度圧縮符号化処理する方法が考えられるが、このように伸長処理と圧縮処理とを同時に行う場合には、ＭＰＥＧエンコーダ部１３とＭＰＥＧデコーダ部２５とで回路構成を共用することが困難となる。
【００２４】
例えば、ＭＰＥＧ方式の圧縮伸長処理では、複数フレーム間の相関を利用した圧縮伸長処理を行っているため、その内部メモリとして大規模なものが必要であるが、このような内部メモリに関してもＭＰＥＧエンコーダ部１３とＭＰＥＧデコーダ部２５とで共用することが困難となる。
【００２５】
また、ＭＰＥＧエンコーダ部１３及びＭＰＥＧデコーダ部２５における圧縮伸長処理回路の一部をソフトウェアに置き換え、マイコン２８がこれを処理する方法もあるが、このように圧縮処理と伸長処置とを同時に行う場合には、マイコン２８による処理負担が大きく、装置の低価格化が困難になるという問題があった。
【００２６】
【課題を解決するための手段】
本発明に係るディジタル信号記録装置は、
入来する第１のビットストリームと入来するアナログ信号を圧縮符号化して得た第２のビットストリームとの何れか一方を選択的に記録媒体に記録することのできるディジタル信号記録装置において、
前記第１のビットストリームを出力する機器からの識別情報を基に前記第１のビットストリームの最大ビットレートが前記記録モードにおけるデータ記録レートを超える可能性があるか否かを判別し、前記第１のビットストリームの最大ビットレートが前記記録モードにおけるデータ記録レートを超える可能性がないと判別された場合には、前記第１のビットストリームを記録し、前記第１のビットストリームの最大ビットレートが前記記録モードにおけるデータ記録レートを超える可能性があると判別された場合、あるいは判別不能であった場合には、前記第１のビットストリームを成す映像情報と同一内容の映像情報を有する第２のビットストリームを記録することを特徴とするものである。
【００２７】
また、本発明に係るディジタル信号記録装置は、
入来する第１のビットストリームと入来するアナログ信号を圧縮符号化して得た第２のビットストリームとの何れか一方を選択的に記録媒体に記録することのできるディジタル信号記録装置において、
第１のビットストリームの最大ビットレートと記録モードにおけるデータ記録レートとを比較する手段を少なくとも備え、
前記第１のビットストリームの最大ビットレートが前記記録モードにおけるデータ記録レートを超える場合は、前記第１のビットストリームを成す映像情報と同一内容の映像情報を有する第２のビットストリームを記録することを特徴とするものである。
【００２８】
また、本発明に係るディジタル信号記録装置は、
外部機器から第１のビットストリームが入来する第１の接続端子と、
前記外部機器から前記第１のビットストリームを成す映像情報と同一内容の映像情報を有するアナログ映像信号が入来する第２の接続端子とを備え、
前記第１のビットストリームの最大ビットレートが前記記録モードにおけるデータ記録レートを超える場合は、前記第２の接続端子からのアナログ映像信号を圧縮符号化して得た第２のビットストリームを記録することを特徴とするものである。
【００２９】
また、本発明に係るディジタル信号記録装置の前記第２の接続端子は、アナログ映像信号が入来する複数のアナログ接続端子のうちの、予め設定された１の接続端子であることを特徴とするものである。
【００３０】
また、本発明に係るディジタル信号記録装置は、
前記第１のビットストリームの最大ビットレートが前記記録モードにおけるデータ記録レートを超える場合は、前記第２の接続端子からのアナログ映像信号と前記第１のビットストリームから取り出した音声情報とにより第３のビットストリームを生成して、前記第３のビットストリームを記録することを特徴とするものである。
【００３１】
また、本発明に係るディジタル信号記録方法は、
入来する第１のビットストリームと入来するアナログ信号を圧縮符号化して得た第２のビットストリームとの何れか一方を選択的に記録媒体に記録するディジタル信号記録方法において、
前記第１のビットストリームを出力する機器からの識別情報を基に前記第１のビットストリームの最大ビットレートが前記記録モードにおけるデータ記録レートを超える可能性があるか否かを判別し、前記第１のビットストリームの最大ビットレートが前記記録モードにおけるデータ記録レートを超える可能性がないと判別された場合には、前記第１のビットストリームを記録し、前記第１のビットストリームの最大ビットレートが前記記録モードにおけるデータ記録レートを超える可能性があると判別された場合、あるいは判別不能であった場合には、前記第１のビットストリームを成す映像情報と同一内容の映像情報を有する第２のビットストリームを記録することを特徴とするものである。
【００３２】
また、本発明に係るディジタル信号記録方法は、
入来する第１のビットストリームと入来するアナログ信号を圧縮符号化して得た第２のビットストリームとの何れか一方を選択的に記録媒体に記録するディジタル信号記録方法において、
第１のビットストリームの最大ビットレートと記録モードにおけるデータ記録レートとを比較し、前記第１のビットストリームの最大ビットレートが前記記録モードにおけるデータ記録レートを超える場合は、前記第１のビットストリームを成す映像情報と同一内容の映像情報を有する第２のビットストリームを記録することを特徴とするものである。
【００３３】
【発明の実施の形態】
本発明に係るディジタル信号記録装置及びディジタル信号記録方法は、ディジタル映像信号とアナログ映像信号とを切り換えて記録することのできるディジタル信号記録装置において、入来するＭＰＥＧビットストリームの最大ビットレートがデータ記録レートを超える場合に、アナログ入力端子からのアナログ映像信号を用いて、これを記録するようにしたことを特徴し、以下その詳細を説明する。
【００３４】
なお、ここでは本発明に係るディジタル信号記録装置及びディジタル信号記録方法を、図１に示すＤ−ＶＨＳ方式の記録再生装置に適用した場合を実施例として説明するため、本発明に係るディジタル信号記録装置の構成は図１に示す構成と同一となる。
【００３５】
また、図２は本発明に係るディジタル信号記録装置、つまりＤ−ＶＨＳ方式の記録再生装置１００とディジタルＣＳチューナ等のＭＰＥＧビットストリームとアナログ映像音声信号とを出力可能な外部機器２００とを接続した状態を示しており、ここでは、記録再生装置１００と外部機器２００とにおけるディジタルインターフェイス端子ＤｉｏをＩＥＥＥ１３９４の規格に基づくケーブルで接続すると共に、外部機器２００の映像信号出力端子Ｖｏｕｔ及び音声信号出力端子Ａｏｕｔを記録再生装置１００の第１の映像信号入力端子Ｖｉｎ１及び第１の映像信号入力端子Ａｉｎ２にアナログケーブルで接続した状態を示している。
【００３６】
なお、図１では映像信号出力端子Ｖｏｕｔ及び音声信号出力端子Ａｏｕｔを示しているが、図２の記録再生装置１００ではこれらの端子の図示を省略している。また、ここでは、輝度信号と色信号とを混合したコンポジット映像信号の形態によりアナログ映像信号を１本のアナログケーブルで伝送しているが、記録再生装置１００及び外部機器２００に映像信号を分離して入出力するための端子が設けられ、例えば輝度信号と色信号、輝度信号と色差信号等、映像信号成分を分離して入出力可能である場合には、そのような入出力端子をアナログケーブルで結線してアナログ映像信号を伝送することも可能である。
【００３７】
以上のような接続により、外部機器２００が出力するＭＰＥＧビットストリームは、図１で示したディジタルインターフェイス端子Ｄｉｏを介して記録再生装置１００に入来し、外部機器２００が出力するアナログ映像信号及びアナログ音声信号は第１の映像信号入力端子Ｖｉｎ１及び第１の音声信号入力端子Ａｉｎ１を介して記録再生装置１００に入来する。
【００３８】
また、図３は、外部機器２００が出力するＭＰＥＧビットストリームを記録再生装置１００で記録する際の入力の切換え処理を説明するための流れ図である。ここで、ユーザは、記録再生装置１００を録画スタンバイモードにし（Ｆ０１）、何れの入力からの信号を記録するかを選択すると共に記録モードを選択する。
【００３９】
つまり、ユーザはディジタルインターフェイス端子Ｄｉｏを介して入来するＭＰＥＧビットストリームを記録するか、あるいはアナログ入力端子を介して入来するアナログ映像音声信号を記録するかを選択すると共に、その記録モードとしてＳＴＤモードあるいはＬＳモードの何れか一方を選択する。
【００４０】
そして、記録再生装置１００は、ユーザがディジタルインターフェイス端子Ｄｉｏを介して入来するＭＰＥＧビットストリームを選択したか、あるいはアナログ入力端子を介して入来するアナログ映像音声信号を選択したかを確認し（Ｆ０２）、アナログ映像音声信号の記録を選択している場合には、Ｎとなり処理を終了するが、ＭＰＥＧビットストリームの記録を選択している場合には、Ｙとなり更に記録モードを確認する（Ｆ０３）。
【００４１】
そして、記録モードとしてユーザがＬＳモードを選択している場合には、更にディジタルインターフェイス端子Ｄｉｏを介して入来するＭＰＥＧビットストリームの最大ビットレートＲｉとＬＳモードにおけるデータ記録レートＲｍとを比較し（Ｆ０４）、入来するＭＰＥＧビットストリームの最大ビットレートＲｉがデータ記録レートＲｍを超えている場合には、第１の映像信号入力端子Ｖｉｎ１及び第１の音声信号入力端子Ａｉｎ１からのアナログ映像音声信号を記録するようマイコン２８が各構成を制御し、処理を終了する（Ｆ０６）。
【００４２】
なお、ここで、入来するビットストリームの最大ビットレートＲｉが記録再生装置１００内で確認できない場合には、Ｆ０４での処理に代わりビットストリームを出力している外部機器１００からの識別情報に基づき入力を切換えるようにしても良い。
【００４３】
例えばＭＰＥＧビットストリームを出力している外部機器１００が前述の如くディジタルＣＳチューナである場合には、最大ビットレートＲｉがＬＳモードにおけるデータ記録レートＲｍを超える可能性があるが、外部機器１００がＤ−ＶＨＳ方式の記録再生装置であり、且つＬＳモードにてＭＰＥＧビットストリームを出力している場合には、最大ビットレートＲｉがＬＳモードにおけるデータ記録レートＲｍを超える可能性はない。
【００４４】
従って、入来するビットストリームの最大ビットレートＲｉが記録再生装置１００内で確認できない場合には、ビットストリームを出力している外部機器１００からの機器情報、記録モード情報等より成る識別情報に基づき入力を切換えることが可能である。つまり、最大ビットレートＲｉがＬＳモードにおけるデータ記録レートＲｍを超える可能性がある場合には、Ｆ０４にてＹとして、最大ビットレートＲｉがＬＳモードにおけるデータ記録レートＲｍを超える可能性がない場合には、Ｆ０４にてＮとすることができる。また、前記識別情報に基づき最大ビットレートＲｉがＬＳモードにおけるデータ記録レートＲｍを超える可能性があるか否かを判別できない場合には、Ｆ０４にてＹとする。
【００４５】
また、記録再生装置１００には図１及び図２に示したように、第１の映像信号入力端子Ｖｉｎ１及び第１の音声信号入力端子Ａｉｎ１以外にも第２の映像信号入力端子Ｖｉｎ２及び第２の音声信号入力端子Ａｉｎ２が設けられているが、ここでは、第１の映像信号入力端子Ｖｉｎ１及び第１の音声信号入力端子Ａｉｎ１には、ディジタルインターフェイス端子Ｄｉｏを介して入来するＭＰＥＧビットストリームと同一内容の映像音声情報が入来しているものとして、このような入力切換処理を行っている。
【００４６】
以上のように、記録再生装置１００における第１の映像信号入力端子Ｖｉｎ１及び第１の音声信号入力端子Ａｉｎ１は、ディジタルインターフェイス端子Ｄｉｏを介して入力されるＭＰＥＧビットストリームの最大ビットレートが記録モードにおけるデータ記録レートを超えている際に切換えが行われる特別な入力端子として設定されている。
【００４７】
ここで、図３におけるＦ０２にて、ユーザがアナログ入力端子を介して入来するアナログ映像音声信号を選択したことが確認された場合、つまりＮとなり処理を終了する場合には、ユーザが選択した映像信号入力端子及び音声信号入力端子からのアナログ映像信号及びアナログ音声信号が、選択された記録モードのデータ記録レートに応じて圧縮符号化される。
【００４８】
そして、インターフェイスＡＳＩＣ１８は、ストリーム変換部１７からのＭＰＥＧビットストリームをＤ−ＶＨＳ信号処理部２０及びディジタルインターフェイス１９に出力し、ユーザの選択した記録モードにて記録媒体２２にこのＭＰＥＧビットストリームが記録されると共に、ディジタルインターフェイス端子Ｄｉｏを介して外部にＭＰＥＧビットストリームが出力される。
【００４９】
また、図３におけるＦ０３にて、ユーザがＳＴＤモードを選択していたことが確認された場合には、ディジタルインターフェイス端子ＤｉｏからのＭＰＥＧビットストリームがインターフェイスＡＳＩＣ１８を介してＤ−ＶＨＳ信号処理部２０及びストリーム変換部１７に出力され、ＳＴＤモードにて記録媒体２２にこのＭＰＥＧビットストリームが記録されると共に、映像信号出力端子Ｖｏｕｔ及び音声信号出力端子Ａｏｕｔを介してアナログ映像信号及びアナログ音声信号が出力される。
【００５０】
また、図３におけるＦ０４にて、入来するＭＰＥＧビットストリームの最大ビットレートＲｉがＬＳモードのデータ記録レートＲｍ以下であると確認できた場合、あるいは最大ビットレートＲｉがＬＳモードのデータ記録レートＲｍを超える可能性がない場合には、ディジタルインターフェイス端子ＤｉｏからのＭＰＥＧビットストリームがインターフェイスＡＳＩＣ１８を介してＤ−ＶＨＳ信号処理部２０及びストリーム変換部１７に出力され、ＬＳモードにて記録媒体２２にこのＭＰＥＧビットストリームが記録されると共に、映像信号出力端子Ｖｏｕｔ及び音声信号出力端子Ａｏｕｔを介してアナログ映像信号及びアナログ音声信号が出力される。
【００５１】
また、図３におけるＦ０４にて、入来するＭＰＥＧビットストリームの最大ビットレートＲｉがＬＳモードのデータ記録レートＲｍを超えていると判定された場合、あるいは最大ビットレートＲｉがＬＳモードにおけるデータ記録レートＲｍを超える可能性がある場合には第１の映像信号入力端子Ｖｉｎ１及び第１の音声信号入力端子Ａｉｎ１からのアナログ映像信号及びアナログ音声信号が、ＬＳモードのデータ記録レートに応じて圧縮符号化される。
【００５２】
そして、インターフェイスＡＳＩＣ１８は、ディジタルインターフェイス端子ＤｉｏからのＭＰＥＧビットストリームを遮断し、ストリーム変換部１７からのＭＰＥＧビットストリームをＤ−ＶＨＳ信号処理部２０に出力する。従って、ストリーム変換部１７からのＭＰＥＧビットストリームがＬＳモードにて記録媒体２２に記録される。
【００５３】
以上のように、本発明に係るディジタル信号記録装置及びディジタル信号記録方法では、入来するＭＰＥＧビットストリームの最大ビットレートが記録モードにおけるデータ記録レートを超えている場合でも、入来するＭＰＥＧビットストリームと同一内容の映像音声情報を有するアナログ映像音声信号にその入力を切換え、このアナログ映像音声信号を記録モードのデータ記録レートに応じて圧縮符号化して記録する。
【００５４】
従って、ＭＰＥＧエンコーダ部１３とＭＰＥＧデコーダ部２５とを同時に動作させる必要がなく、両回路における内部メモリ等の構成を共用しても特に問題が生じない。
【００５５】
なお、以上の説明では、入来するＭＰＥＧビットストリームの最大ビットレートが記録モードにおけるデータ記録レートを超えている場合に、入来するアナログ映像信号及びアナログ音声信号を選択して記録する例について示したが、例えば、入来するアナログ映像信号と外部からＭＰＥＧビットストリームとして入来する音声信号とを記録媒体２２に記録するようにしても構わない。
【００５６】
その際、ディジタルインターフェイス端子Ｄｉｏから入来するＭＰＥＧビットストリームは、ディジタルインターフェイス１９、インターフェイスＡＳＩＣ１８を介してストリーム変換部１７に出力され、ストリーム変換部１７はこのＭＰＥＧビットストリームからＭＰＥＧ音声信号のみを取り出してこれをオーディオ処理部１６に出力する。
【００５７】
オーディオ処理部１６は、ストリーム変換部１７からのＭＰＥＧ音声信号を一旦伸長処理し、記録モードにおけるデータ記録レートに応じて再度圧縮符号化処理を行うが、音声情報は映像情報に比べるとデータ量が極めて少ないため、オーディオ処理部１６のみ圧縮符号化処理と伸長処理とを同時に行えるようにしても回路規模はさほど大きくならない。
【００５８】
そして、入来するアナログ映像信号から得たＭＰＥＧ映像信号とオーディオ処理部１６で圧縮符号化処理したＭＰＥＧ音声信号によりＭＰＥＧビットストリームを生成し、これを記録媒体２２に記録することにより、音声情報の記録に伴う音質の劣化を最小限の留めることができる。
【００５９】
また、入来するアナログ映像信号と外部からＭＰＥＧビットストリームとして入来する音声信号とを記録媒体２２に記録する際、ストリーム変換部１７にて取り出したＭＰＥＧ音声信号を一旦オーディオ処理部１６に出力して伸長及び圧縮符号化することなく、ストリーム変換部１７で取り出したＭＰＥＧ音声信号と入来するアナログ映像信号から得たＭＰＥＧ映像信号とによりＭＰＥＧビットストリームを生成しても良いことは言うまでもない。
【００６０】
また、以上の説明では、記録再生装置１００と外部機器２００のみを接続した例を示したが、更に多くの機器を接続しても構わない。その際、ディジタルインターフェイス端子及びディジタルインターフェイスを介して各機器間で伝送される接続機器の種別やメーカコード、シリアル番号などの情報を用いて、ディジタルインターフェイスで接続されるどの機器のアナログ出力が、記録再生装置１００におけるどのアナログ入力端子に対応しているかを、その結線時に予め登録しておき、この登録情報に基づき複数の外部機器からの入力に対して本発明を適用できるようにしても構わない。
【００６１】
また、ＭＰＥＧビットストリームの最大ビットレートが記録モードにおけるデータ記録レートを超えているにも拘わらず、このＭＰＥＧビットストリームを出力している機器がアナログ信号を出力できない場合には、ユーザに記録モードを変更するよう促すメッセージを表示したり、また、記録ができない旨のメッセージを表示しても構わない。
【００６２】
また、Ｄ−ＶＨＳ方式の記録再生装置では、前述したＳＴＤモード、ＬＳモードの他に、データ記録レートの異なるいくつかの記録モードが存在し、これらの記録モードに対して本発明を適用しても構わないことは言うまでもない。
【００６３】
【発明の効果】
本発明に係るディジタル信号記録装置及びディジタル信号記録方法によれば、入来する第１のビットストリームの最大ビットレートが記録モードにおけるデータ記録レートを超える場合あるいは超える可能性のある場合に、第１のビットストリームを成す映像情報と同一内容の映像情報を有するアナログ入力による第２のビットストリームを記録するため、記録モードにおけるデータ記録レートが入来する第１のビットストリームに満たない場合でも、第１のビットストリームにおける映像情報と同一内容の映像情報を記録できる。
【００６４】
また、ディジタル信号記録装置では、入来する第１のビットストリームをアナログ信号として出力するためのデコーダを搭載しているが、エンコーダとデコーダとを同時に動作させることがないため、両回路における内部メモリ等の構成を共用することができ、回路規模を抑えることが可能となる。
【００６５】
また、第２の接続端子からのアナログ映像信号と第１のビットストリームから取り出した音声情報により第３のビットストリームを生成して記録する場合は、音声情報の記録に伴う音質の劣化を最小限に抑えられる。
【図面の簡単な説明】
【図１】Ｄ−ＶＨＳ方式の記録再生装置の構成の一例を示す図である。
【図２】記録再生装置と外部機器とを接続した状態を示す図である。
【図３】ＭＰＥＧビットストリームを記録する際の入力の切換えを説明する流れ図である。
【符号の説明】
１０、１４…切換器
１１、１５…Ａ／Ｄ変換器
１２…ビデオ処理部
１３…ＭＰＥＧエンコーダ部
１６…オーディオ処理部
１７…ストリーム変換部
１８…インターフェイスＡＳＩＣ
１９…ディジタルインターフェイス
２０…Ｄ−ＶＨＳ信号処理部
２１…記録アンプ
２２…記録媒体
２３…再生アンプ
２４…再生処理部
２５…ＭＰＥＧデコーダ部
２６、２７…Ｄ／Ａ変換器
２８…マイコン
Ｄｉｏ…ディジタルインターフェイス端子
Ｖｉｎ１、Ｖｉｎ２…映像信号入力端子
Ｖｏｕｔ…映像信号出力端子
Ａｉｎ１、Ａｉｎ２…音声信号入力端子
Ａｏｕｔ…音声信号出力端子
【図１】
0003601771.tif 000002
【図２】
0003601771.tif 000003
【図３】
0003601771.tif 000004